(57)【要約】【課題】通気を行うことができ、かつ異物の侵入を抑制することができる可搬型放射線画像変換装置、放射線画像撮影システム及びプログラムを提供する。【解決手段】放射線検出器６０及び電子カセッテ制御部６４が収納されると共に、通気口が形成された筐体、当該筐体に設けられ、通気口を開放及び閉塞する蓋部材、通気口を開放及び閉塞するように蓋部材を移動させるアクチュエータ１０６、放射線画像を撮影する環境を示し、かつ入力された環境情報に基づいて、通気口が開放または閉塞されるようにアクチュエータ１０６を制御するＣＰＵ６４Ａを有する電子カセッテ３２と、環境情報を電子カセッテ３２に入力する送受信機４２Ｈを有するコンソール４２と、を備える。【選択図】図１１
2010008668.tif 000002
【特許請求の範囲】
【請求項１】
外部から照射された放射線量に応じた放射線画像を示す画像情報を生成する電子回路が収納されると共に、通気口が形成された筐体と、
前記筐体に設けられ、前記通気口を開放及び閉塞する蓋体と、
前記通気口を開放及び閉塞するように前記蓋体を移動させる移動手段と、
前記放射線画像を撮影する環境を示し、かつ入力された環境情報に基づいて、前記通気口が開放または閉塞されるように前記移動手段を制御する制御手段と、
を備えた可搬型放射線画像変換装置。
【請求項２】
前記環境情報と前記通気口を開放するか閉塞するかを示す開閉情報とが関連付けられて記憶された記憶手段と、
環境情報を受け付ける受付手段と、を更に備え、
前記制御手段は、前記受付手段により受け付けられて入力された前記環境情報が前記記憶手段に記憶されている場合に、当該環境情報に関連付けられている開閉情報を前記記憶手段から読み出し、当該開閉情報に応じて前記通気口が開放または閉塞されるように前記移動手段を制御する請求項１記載の可搬型放射線画像変換装置。
【請求項３】
前記制御手段は、前記受付手段が前記記憶手段に記憶されている環境情報以外の他の環境情報及び当該他の環境情報に対応する開閉情報を受け付けた場合には当該他の環境情報及び当該開閉情報を関連付けて前記記憶手段に記憶する制御を行う請求項２記載の可搬型放射線画像変換装置。
【請求項４】
前記記憶手段に、前記環境情報に対応させて当該環境情報により示される環境での前記放射線画像の撮影可能枚数を示す撮影可能枚数情報を関連付けて記憶し、
前記制御手段は、前記受付手段により受け付けられて入力された前記環境情報が前記記憶手段に記憶されている場合に、当該環境情報に関連付けられた撮影可能枚数情報を前記記憶手段から読み出し、当該撮影可能枚数情報により示される撮影可能枚数が予め定められた枚数未満である場合に撮影可能枚数が予め定められた枚数未満であることを表示するように制御を行う請求項２又は請求項３記載の可搬型放射線画像変換装置。
【請求項５】
前記制御手段は、前記受付手段が前記記憶手段に記憶されている環境情報以外の他の環境情報及び当該他の環境情報に対応する撮影可能枚数情報を受け付けた場合には当該他の環境情報及び当該撮影可能枚数情報を関連付けて前記記憶手段に記憶する制御を行う請求項４記載の可搬型放射線画像変換装置。
【請求項６】
前記筐体が予め定められた場所に設置されたことを検知する検知手段を更に備え、
前記制御手段は、前記検知手段により前記筐体が予め定められた場所に設置されたことが検知された場合に、前記通気口を開放するように前記移動手段を制御する請求項１〜請求項５の何れか１項に記載の可搬型放射線画像変換装置。
【請求項７】
請求項１〜請求項６の何れか１項に記載の可搬型放射線画像変換装置と、
前記環境情報を前記可搬型放射線画像変換装置に入力する入力手段を有する通信装置と、
を備えた放射線画像撮影システム。
【請求項８】
コンピュータを、
外部から照射された放射線量に応じた放射線画像を示す画像情報を生成する電子回路が収納されると共に、通気口が形成された筐体の当該通気口を、前記放射線画像を撮影する環境を示し、かつ入力された環境情報に基づいて、開放するか閉塞するかを判断する判断手段、及び前記判断手段による判断結果に応じて前記通気口が開放または閉塞されるように、前記通気口を開放及び閉塞するように前記蓋体を移動させる移動手段を制御する制御手段として機能させるためのプログラム。
【請求項９】
コンピュータを、請求項１〜請求項６の何れか１項に記載の可搬型放射線画像変換装置を構成する制御手段として機能させるためのプログラム。
【発明の詳細な説明】
【技術分野】
【０００１】
本発明は、可搬型放射線画像変換装置、放射線画像撮影システム及びプログラムに関する。
【背景技術】
【０００２】
近年、ＴＦＴ（Thin Film Transistor）アクティブマトリクス基板上にＸ線感応層を配置し、Ｘ線を直接デジタルデータに変換できるＦＰＤ（Flat Panel Detector）が実用化されており、このＦＰＤ等を用いて照射された放射線により表わされる放射線画像を示す画像情報を生成し、生成した画像情報を記憶する可搬型放射線画像変換装置（以下、「電子カセッテ」ともいう。）が実用化されている。
【０００３】
電子カセッテは、照射された放射線により発生する微弱な信号を検出して放射線画像を示す画像情報を生成する電子回路を筐体に収納しており、当該画像情報を生成する際に電子回路で発生する熱の影響で信号の検出結果が一定とならず、画質が低下する場合がある、という問題が知られている。
【０００４】
この問題を解決するための技術として、特許文献１には、電子カセッテの筐体にファンを設け、ファンによる送風で筐体内の電子回路を冷却する技術が記載されている。
【０００５】
また、特許文献２には、電子カセッテの筐体に通気口を設け、非撮影時に通気口を開放して筐体内の空気を当該通気口から外に排出すると共に、当該通気口から筐体内に外気を取り込むことにより装置全体を冷却する技術が記載されている。
【特許文献１】特開２００１−２８１３４５号公報
【特許文献２】特開平１０−１７７２２４号公報
【発明の開示】
【発明が解決しようとする課題】
【０００６】
しかしながら、特許文献１の技術では、筐体内が密閉された空間となっているため、電子回路を十分に冷却することができない、という問題点があった。
【０００７】
特許文献２の技術では、筐体内の空気を通気口から外に排出すると共に、通気口から外気を筐体内に取り込むようにしているので、特許文献１の技術よりも高い冷却効果が期待できるものの、例えば、手術中に電子カセッテを使用する場合、非撮影時に通気口が開放されていると、筐体内が外部に曝されるため、筐体内に血液などの異物が侵入する虞がある、という問題点があった。
【０００８】
本発明は上記問題点を解決するために成されたものであり、通気を行うことができ、かつ異物の侵入を抑制することができる可搬型放射線画像変換装置、放射線画像撮影システム及びプログラムを提供することを目的とする。
【課題を解決するための手段】
【０００９】
上記目的を達成するために、請求項１に記載の可搬型放射線画像変換装置は、外部から照射された放射線量に応じた放射線画像を示す画像情報を生成する電子回路が収納されると共に、通気口が形成された筐体と、前記筐体に設けられ、前記通気口を開放及び閉塞する蓋体と、前記通気口を開放及び閉塞するように前記蓋体を移動させる移動手段と、前記放射線画像を撮影する環境を示し、かつ入力された環境情報に基づいて、前記通気口が開放または閉塞されるように前記移動手段を制御する制御手段と、を備えている。
【００１０】
請求項１に記載の可搬型放射線画像変換装置によれば、外部から照射された放射線量に応じた放射線画像を示す画像情報を生成する電子回路が収納される筐体に形成された通気口を開放及び閉塞する蓋体は通気口を開放及び閉塞するように移動手段によって移動される。
【００１１】
ここで、本発明では、制御手段により、放射線画像を撮影する環境を示し、かつ入力された環境情報に基づいて、通気口が開放または閉塞されるように移動手段が制御される。
【００１２】
このように、本発明の可搬型放射線画像変換装置によれば、放射線画像を撮影する環境に応じて筐体に形成された通気口が開放または閉塞されるので、通気を行うことができ、かつ異物の侵入を抑制することができる。
【００１３】
なお、請求項１に記載の可搬型放射線画像変換装置は、請求項２に記載の発明のように、前記環境情報と前記通気口を開放するか閉塞するかを示す開閉情報とが関連付けられて記憶された記憶手段と、環境情報を受け付ける受付手段と、を更に備え、前記制御手段が、前記受付手段により受け付けられて入力された前記環境情報が前記記憶手段に記憶されている場合に、当該環境情報に関連付けられている開閉情報を前記記憶手段から読み出し、当該開閉情報に応じて前記通気口が開放または閉塞されるように前記移動手段を制御するものとしても良い。これにより、受付手段が環境情報を受け付けることにより通気口を開放または閉塞するための制御が行われるので、ユーザが意図しないタイミングで通気口が開放または閉塞することを防止することができる。
【００１４】
また、請求項２記載の可搬型放射線画像変換装置は、請求項３記載の発明のように、前記制御手段が、前記受付手段が前記記憶手段に記憶されている環境情報以外の他の環境情報及び当該他の環境情報に対応する開閉情報を受け付けた場合には当該他の環境情報及び当該開閉情報を関連付けて前記記憶手段に記憶する制御を行うものとしても良い。これにより、記憶手段における環境情報及び当該環境情報に関連付けられた開閉情報を増やすことができるので、ユーザにとっての利便性を向上させることができる。
【００１５】
また、請求項２又は請求項３記載の可搬型放射線画像変換装置は、請求項４記載の発明のように、前記記憶手段に、前記環境情報に対応させて当該環境情報により示される環境での前記放射線画像の撮影可能枚数を示す撮影可能枚数情報を関連付けて記憶し、前記制御手段が、前記受付手段により受け付けられて入力された前記環境情報が前記記憶手段に記憶されている場合に、当該環境情報に関連付けられた撮影可能枚数情報を前記記憶手段から読み出し、当該撮影可能枚数情報により示される撮影可能枚数が予め定められた枚数未満である場合に撮影可能枚数が予め定められた枚数未満であることを表示するように制御を行うものとしても良い。これにより、撮影者は撮影可能枚数が予め定められた枚数未満であることを意識しながら撮影を行うことができるので、重要度の異なる複数枚の放射線画像を得るにあたり、重要度の高い放射線画像を得る前に撮影ができなくなるという事態の発生を回避することができる。
【００１６】
また、請求項４記載の可搬型放射線画像変換装置は、請求項５記載の発明のように、前記制御手段が、前記受付手段が前記記憶手段に記憶されている環境情報以外の他の環境情報及び当該他の環境情報に対応する撮影可能枚数情報を受け付けた場合には当該他の環境情報及び当該撮影可能枚数情報を関連付けて前記記憶手段に記憶する制御を行うものとしても良い。これにより、記憶手段における環境情報及び当該環境情報に関連付けられた撮影可能枚数情報を増やすことができるので、ユーザにとっての利便性を向上させることができる。
【００１７】
また、請求項１〜請求項５の何れか１項に記載の可搬型放射線画像変換装置は、請求項６記載の発明のように、前記筐体が予め定められた場所に設置されたことを検知する検知手段を更に備え、前記制御手段が、前記検知手段により前記筐体が予め定められた場所に設置されたことが検知された場合に、前記通気口を開放するように前記移動手段を制御するものとしても良い。これにより、可搬型放射線画像変換装置を予め定められた場所に設置することにより通気口を開放することができるので、ユーザにとっての利便性を向上させることができる。
【００１８】
一方、上記目的を達成するために、請求項７記載の放射線画像撮影システムは、  請求項１〜請求項６の何れか１項に記載の可搬型放射線画像変換装置と、前記環境情報を前記可搬型放射線画像変換装置に入力する入力手段を有する通信装置と、を備えている。
【００１９】
請求項７に記載の放射線画像撮影システムによれば、請求項１〜請求項６の何れか１項に記載の可搬型放射線画像変換装置と同様に作用するので、当該可搬型放射線画像変換装置と同様の効果を得ることができる。
【００２０】
一方、上記目的を達成するために、請求項８記載のプログラムは、コンピュータを、外部から照射された放射線量に応じた放射線画像を示す画像情報を生成する電子回路が収納されると共に、通気口が形成された筐体の当該通気口を、前記放射線画像を撮影する環境を示し、かつ入力された環境情報に基づいて、開放するか閉塞するかを判断する判断手段、及び前記判断手段による判断結果に応じて前記通気口が開放または閉塞されるように、前記通気口を開放及び閉塞するように前記蓋体を移動させる移動手段を制御する制御手段として機能させるためのものである。
【００２１】
従って、請求項８記載のプログラムによれば、請求項１に記載の発明と同様に作用するので、請求項１に記載の発明と同様に、通気を行うことができ、かつ異物の侵入を抑制することができる。
【００２２】
また、請求項９記載のプログラムは、コンピュータを、請求項１〜請求項６の何れか１項に記載の可搬型放射線画像変換装置を構成する制御手段として機能させるためのものである。
【００２３】
従って、請求項９記載のプログラムによれば、請求項１〜請求項６の何れか１項に記載の可搬型放射線画像変換装置と同様に作用するので、当該可搬型放射線画像変換装置と同様の効果を得ることができる。
【発明の効果】
【００２４】
本発明によれば、通気を行うことができ、かつ異物の侵入を抑制することができる、という効果が得られる。
【発明を実施するための最良の形態】
【００２５】
以下、図面を参照して本発明を実施するための最良の形態について詳細に説明する。
【００２６】
〔第１の実施形態〕
【００２７】
先ず、本第１の実施形態に係る放射線情報システム１０の構成について説明する。図１には、本第１の実施形態に係る放射線情報システム１０{以下、「ＲＩＳ１０」（ＲＩＳ：Radiology Information System）とも称する。）の各構成要素を示すブロック図が示されている。
【００２８】
ＲＩＳ１０は、放射線科部門内における、診療予約、診断記録等の情報管理を行うためのシステムであり、病院情報システム（ＨＩＳ：Hospital Information System）の一部を構成する。
【００２９】
ＲＩＳ１０は、複数の撮影依頼入力端末１２（以下、「入力端末１２」とも称する。）と、ＲＩＳサーバ１４と、複数の放射線画像撮影システム１８（以下、「撮影システム１８」とも称する。）と、を含んで構成されている。
【００３０】
ＲＩＳサーバ１４は、ＲＩＳ１０全体の管理をするものであり、ＬＡＮ（Local Area Network）ケーブル２０又は無線ＬＡＮ２２により、各入力端末１２及び撮影システム１８と相互通信が可能に構成されている。また、ＲＩＳサーバ１４は、ＨＩＳ全体の管理をするＨＩＳサーバ２４に接続されている。
【００３１】
入力端末１２は、医師２６（図２を参照。）や放射線技師が、診断情報や施設予約の入力・閲覧をするためのものであり、放射線画像の撮影依頼（撮影予約）もこの入力端末１２からなされる。各入力端末１２は、表示装置付きのパーソナルコンピュータから構成され、ＲＩＳサーバ１４とＬＡＮにより接続されて相互通信が可能となっている。
【００３２】
ＲＩＳサーバ１４は、各入力端末１２からの撮影依頼を受け付け、撮影システム１８における放射線画像の撮影スケジュールを管理するものであり、データベース２８を含んで構成されている。
【００３３】
データベースは、患者３０（図２を参照。）の属性情報（氏名、性別、生年月日、年齢、血液、患者ＩＤ等）、病歴、受診歴、過去に撮影した放射線画像等、患者３０に関する情報、撮影システム１８の電子カセッテ３２の識別番号、型式、サイズ、感度、使用可能な撮影部位（対応可能な撮影依頼の内容）、使用開始年月日、使用回数等、電子カセッテ３２に関する情報、及び電子カセッテ３２を用いて放射線画像を撮影する環境、すなわち、電子カセッテ３２を使用する環境（一例として、手術室や放射線画像の撮影専用に設置された撮影室など）を示す環境情報を含んで構成されている。
【００３４】
撮影システム１８は、ＲＩＳサーバ１４からの指示に応じて医師２６や放射線技師の操作により放射線画像の撮影を行う。撮影システム１８は、撮影条件に従った放射線量からなる放射線Ｘを被写体としての患者３０に照射する撮影装置３４と、患者３０を透過した放射線Ｘを検出し、放射線画像情報に変換する放射線検出器（後述）を内蔵する電子カセッテ３２と、前記放射線検出器によって検出された放射線Ｘに基づく放射線画像を表示する表示装置３６と、電子カセッテ３２に内蔵されるバッテリ３８（図３、図４及び図１１を参照。）を充電するクレードル４０と、電子カセッテ３２、撮影装置３４、表示装置３６及びクレードル４０を制御するコンソール４２と、を備える。電子カセッテ３２、撮影装置３４、表示装置３６及びクレードル４０と、コンソール４２との間では、無線通信による信号の送受信が行われる。
【００３５】
図２には、本第１の実施形態に係る撮影システム１８を配置した様子の一例として、撮影システム１８が撮影室としての手術室４４内に設置された様子が示されている。図２の手術室４４では、撮影システム１８に加えて、患者３０が横臥する手術台４６が配置されると共に、医師２６が手術に使用する各種器具が載置される器具台４８が手術台４６の側部に配置される。また、手術台４６の周りには、麻酔器、吸引器、心電計、血圧計等、手術に必要な様々な機器が配置される（これらの機器は、図２では省略されている。）。
【００３６】
撮影装置３４は、自在アーム５０に連結され、患者３０の撮影部位に応じた所望の位置に移動可能であると共に、医師２６による手術の邪魔とならない位置に待避可能である。同様に、表示装置３６は、自在アーム５２に連結され、撮影された放射線画像を医師２６が容易に確認できる位置に移動可能である。
【００３７】
図２の例は、撮影システム１８が手術室４４内に設置されているが、放射線画像の撮影専用に設置された撮影室内等、他の場所に撮影システム１８を設置しても良い。
【００３８】
図３には、電子カセッテ３２の内部構成を示す図が示されている。
【００３９】
同図に示すように、電子カセッテ３２は、放射線Ｘを透過させる材料からなる筐体５４を備えている。筐体５４の内部には、放射線Ｘが照射される筐体５４の照射面５６側から、患者３０による放射線Ｘの散乱線を除去するグリッド５８、患者３０を透過した放射線Ｘを検出する放射線検出器６０（放射線変換パネル）、及び、放射線Ｘのバック散乱線を吸収する鉛板６２が順に配設される。なお、筐体５４の照射面５６をグリッド５８として構成してもよい。
【００４０】
また、筐体５４の内部には、電子カセッテ３２の電源であるバッテリ３８と、バッテリ３８から供給される電力により放射線検出器６０を駆動制御する電子カセッテ制御部６４と、放射線検出器６０によって検出した放射線Ｘの情報を含む信号をコンソール４２との間で送受信する送受信機６６とが収容される。
【００４１】
電子カセッテ３２は、手術室４４等で使用されるとき、血液やその他の雑菌が付着するおそれがある。そこで、電子カセッテ３２を防水性、密閉性を有する構造とし、必要に応じて殺菌洗浄することにより、１つの電子カセッテ３２を繰り返し続けて使用することができる。
【００４２】
電子カセッテ３２は、手術室４４で使用される場合に限られるものではなく、例えば、検診や病院内での回診にも適用することができる。
【００４３】
また、電子カセッテ３２と外部機器との間での無線通信は、通常の電波による通信に代えて、赤外線等を用いた光無線通信で行うようにしても良い。
【００４４】
図４には、放射線検出器６０の回路構成を示すブロック図が示されている。放射線検出器６０は、放射線Ｘを感知して電荷を発生させるアモルファスセレン（ａ−Ｓｅ）等の物質からなる光電変換層６８を行列状の薄膜トランジスタ（ＴＦＴ：Thin Film Transistor）７０のアレイの上に配置した構造を有し、発生した電荷を蓄積容量７２に蓄積した後、各行毎にＴＦＴ７０を順次オンにして、電荷を画像信号として読み出す。図４では、光電変換層６８及び蓄積容量７２からなる１つの画素７４と１つのＴＦＴ７０との接続関係のみを示し、その他の画素７４の構成については省略している。なお、アモルファスセレンは、高温になると構造が変化して機能が低下してしまうため、所定の温度範囲内で使用する必要がある。従って、電子カセッテ３２内に放射線検出器６０を冷却する手段を配設することが好ましい。また、放射線検出器６０は、アモルファスセレンのような放射線Ｘを直接的に電荷に変換するＸ線-電荷変換材料の代わりに、蛍光体材料と光電変換素子（フォトダイオード）を用いて間接的に電荷に変換しても良い。蛍光体材料としては、ガドリニウム硫酸化物（ＧＯＳ）やヨウ化セシウム（ＣｓＩ）が良く知られている。この場合、蛍光材料によってＸ線−光変換を行い、光電変換素子のフォトダイオードによって光−電荷変換を行う。
【００４５】
各画素７４に接続されるＴＦＴ７０には、行方向と平行に延びるゲート線７６と、列方向と平行に延びる信号線７８とが接続される。各ゲート線７６は、ライン走査駆動部８０に接続され、各信号線７８は、読取回路を構成するマルチプレクサ８２に接続される。
【００４６】
ゲート線７６には、行方向に配列されたＴＦＴ７０をオンオフ制御する制御信号Ｖｏｎ、Ｖｏｆｆがライン走査駆動部８０から供給される。この場合、ライン走査駆動部８０は、ゲート線７６を切り替える複数のスイッチＳＷ１と、スイッチＳＷ１の１つを選択する選択信号を出力するアドレスデコーダ８４とを備える。アドレスデコーダ８４には、電子カセッテ制御部６４からアドレス信号が供給される。
【００４７】
また、信号線７８には、列方向に配列されたＴＦＴ７０を介して各画素７４の蓄積容量７２に保持されている電荷が流出する。この電荷は、増幅器８６によって増幅される。増幅器８６には、サンプルホールド回路８８を介してマルチプレクサ８２が接続される。マルチプレクサ８２は、信号線７８を切り替える複数のスイッチＳＷ２と、スイッチＳＷ２の１つを選択する選択信号を出力するアドレスデコーダ９０とを備える。アドレスデコーダ９０には、電子カセッテ制御部６４からアドレス信号が供給される。マルチプレクサ８２には、Ａ／Ｄ変換器９２が接続され、Ａ／Ｄ変換器９２によってデジタル信号に変換された放射線画像情報が電子カセッテ制御部６４に供給される。
【００４８】
次に、図５〜図１０を参照しながら電子カセッテ３２の発熱部を冷却するための構成について説明する。なお、上記発熱部としては、例えば、バッテリ３８、放射線検出器６０、電子カセッテ制御部６４、各種回路のうち発熱する発熱回路、各種素子のうち発熱する発熱素子が該当する。
【００４９】
図５は、本第１の実施形態に係る電子カセッテ３２の外観を示す斜視図であり、通気口が閉塞された状態を示す図である。図６は、図５のａ−ａ線断面図である。図７は、本第１の実施形態に係る電子カセッテ３２の外観を示す斜視図であり、通気口が開放された状態を示す図である。図８は、本第１の実施形態に係る電子カセッテ３２の開閉機構を示す正面図であり、通気口が開放された状態を示す図である。図９は、本第１の実施形態に係る電子カセッテ３２の開閉機構を示す部分断面図である。図１０は、本第１の実施形態に係る電子カセッテ３２の開閉機構を示す正面図であり、通気口が閉塞された状態を示す図である。
【００５０】
電子カセッテ３２の筐体５４は、外縁に４辺５４Ａ，５４Ｂ，５４Ｃ，５４Ｄを有する形状、具体的には、四辺形状（四角形状）をしている。より具体的には、電子カセッテ３２の筐体５４は、長方形状をしている。また、筐体５４は、角が丸くなった形状をしている。図２及び図３では、筐体５４の形状を概略的に示しており、角を有する形状となっている。なお、筐体５４は、角を有する形状であっても良い。
【００５１】
４辺５４Ａ，５４Ｂ，５４Ｃ，５４Ｄをなす筐体５４の側面９４Ａ，９４Ｂ，９４Ｃ，９４Ｄには、図６及び図７に示すように、筐体５４の内部へ外気を取り込み可能な通気口９６が形成されている。なお、側面９４Ａが辺５４Ａに対応し、側面９４Ｂが辺５４Ｂに対応し、側面９４Ｃが辺５４Ｃに対応し、側面９４Ｄが辺５４Ｄに対応している。
【００５２】
通気口９６は、筐体５４の全周にわたって連通し、側面９４Ａ，９４Ｂ，９４Ｃ，９４Ｄに形成された単一の開口で構成されている。なお、通気口９６は、側面９４Ａ，９４Ｂ，９４Ｃ，９４Ｄのそれぞれに独立して形成される構成であっても良く、また、側面９４Ａ，９４Ｂ，９４Ｃ，９４Ｄのうちの２つ又は３つの側面が連通する構成であっても良い。更に、通気口９６は、発熱部に対応して配置されていれば良く、発熱部が４辺５４Ａ，５４Ｂ，５４Ｃ，５４Ｄのうちの１辺に沿って配置される場合には、その１辺をなす側面９４Ａ，９４Ｂ，９４Ｃ，９４Ｄに形成されていれば良い。従って、通気口９６は、側面９４Ａ，９４Ｂ，９４Ｃ，９４Ｄのうちの何れかに少なくとも形成されていれば良い。
【００５３】
また、通気口９６は、２つの側面に形成される場合には、対向する側面（例えば、側面９４Ａ、側面９４Ｃ）に形成される構成あっても良く、また、隣接する側面（例えば、側面９４Ａ、側面９４Ｂ）に形成される構成であっても良い。
【００５４】
筐体５４には、通気口９６を覆う蓋部材９８が設けられている。
【００５５】
蓋部材９８は、無端の環状にされた帯体で形成されている。蓋部材９８は、側面９４Ａ，９４Ｂ，９４Ｃ，９４Ｄ及び通気口９６を筐体２０の外面側から覆うと共に、各側面を締め付けるように筐体５４の側面９４Ａ，９４Ｂ，９４Ｃ，９４Ｄに設けられており、筐体５４の外側から加わる衝撃を吸収する弾性材で形成されている。すなわち、蓋部材９８は筐体５４の外側から加わる衝撃を吸収する緩衝部材としても機能する。蓋部材９８を構成する弾性材としては、例えば、ゴムや樹脂が用いられる。
【００５６】
蓋部材９８には、図６に示すように、通気口９６に入り込む凸部９８Ａが形成されている。この凸部９８Ａにより、蓋部材９８と筐体５４との接触面積が増大し、筐体５４の密閉性が高められる。
【００５７】
図８に示すように、電子カセッテ３２は、蓋部材９８を開放または閉塞させる開閉機構１００を備えている。開閉機構１００は、筐体５４にスライド移動可能に設けられたスライダ１０２と、スライダ１０２に設けられたリンク部材１０４と、スライダ１０２をスライド移動させるアクチュエータ１０６と、を備えている。
【００５８】
図９に示すように、スライダ１０２、リンク部材１０４及びアクチュエータ１０６は、通気口９６を間に挟むように筐体５４の両側にそれぞれ配置されている。
【００５９】
リンク部材１０４は、先端部が蓋部材９８に回動可能に取り付けられると共に後端部がスライダ１０２に回動可能に取り付けられている。
【００６０】
具体的には、リンク部材１０４の先端部は、蓋部材９８に接着等により固定されると共に薄肉とされた脆弱部９８Ｂを回動中心として回動するようになっている。一方、リンク部材１０４の後端部は、スライダ１０２に軸部１０８により回動可能に支持され、軸部１０８を回動中心として回動するようになっている。
【００６１】
スライダ１０２は、筐体５４に設けられたレール１１０に取り付けられており、このレール１１０に案内されて筐体５４の側面９４Ｂに沿ってスライド移動可能とされている。具体的には、スライダ１０２は、リンク部材１０４の先端部が取り付けられた蓋部材９８の部位に軸部１０８が対向する対向位置（図８参照。）と、リンク部材１０４の長さよりも若干短い距離分対向位置から退避した退避位置（図１０参照。）との間をスライド移動可能とされている。
【００６２】
本第１の実施形態に係る電子カセッテ３２では、アクチュエータ１０６としてソレノイドを適用している。上記ソレノイドは、プランジャがケース内に吸引されているときにスライダ１０２が退避位置に位置し、プランジャがケースから引き出されているときにスライダ１０２が対向位置に位置するように、ケースが筐体５４の内壁に、プランジャがスライダ１０２に各々固定されている。上記ソレノイドは通電時にプランジャがケース内に吸引され、非通電時には巻装されたコイルばねの付勢力によりプランジャがケースから引き出される。
【００６３】
スライダ１０２がアクチュエータ１０６により対向位置に移動すると、図８に示すように、リンク部材１０４の長手方向が辺５４Ｂと直交する方向に向き、リンク部材１０４の先端部が筐体５４の外側へ突出して蓋部材９８を筐体５４の外側へ押圧する。これにより、蓋部材９４が通気口９６を開放する開放位置へ移動する。
【００６４】
一方、スライダ１０２がアクチュエータ１０６により退避位置に移動すると、図１０に示すように、リンク部材１０４の長手方向が辺５４Ｂに沿った方向に向き、リンク部材１０４の先端部が筐体５４の内側に収納されて蓋部材９８が筐体５４の外側から筐体５４側へ引っ張られる。これにより、蓋部材９８が通気口９６を閉塞する閉塞位置へ移動する。
【００６５】
このように、スライダ１０２がスライド移動することにより、リンク部材１０４が筐体５４の側面９４Ｂに対して起立して蓋部材９８が開放位置へ移動し、リンク部材１０４が筐体５４の側面９４Ｂに対して傾倒して蓋部材６２が閉塞位置へ移動する。
【００６６】
上記では、辺５４Ｂをなす側面９４Ｂに配置された開閉機構１００について説明したが、開閉機構１００は各側面９４Ａ，９４Ｃ，９４Ｄにも配置されており、通気口９６は、各側面９４Ａ，９４Ｂ，９４Ｃ，９４Ｄにおいて蓋部材９８を独立して開閉する構成となっている。なお、開閉機構１００は、少なくとも側面９４Ａ，９４Ｂ，９４Ｃ，９４Ｄの何れかに配置されていれば良い。
【００６７】
また、通気口９６が開放された状態において外気を筐体５４内部に流通させるためのファンを筐体５４内部に設けても良い。
【００６８】
図１１は、本第１の実施形態に係る放射線画像撮影システム１８のより詳細な構成を示すブロック図である。
【００６９】
同図に示すように、撮影装置３４は、撮影スイッチ３４Ａと、放射線Ｘを出力する放射線源３４Ｂと、コンソール４２から無線通信により撮影条件等に関する信号を受信する一方、コンソール４２に対して無線通信による撮影完了信号等の信号を送信する送受信機３４Ｃと、撮影スイッチ３４Ａから供給される撮影開始信号及び送受信機３４Ｃから供給される撮影条件に基づいて放射線源３４Ｂを制御する線源制御部３４Ｄと、を備えている。
【００７０】
撮影装置３４の線源制御部３４Ｄは、コンソール４２の送受信機４２Ｈ（後述）及び撮影装置３４の送受信機３４Ｃを介して、コンソール４２のＣＰＵ（中央処理装置）４２Ａより患者３０の撮影条件を無線通信により取得し、取得した撮影条件に従って放射線源３４Ｂを制御することにより、所定の放射線量からなる放射線Ｘを患者３０に照射する。
【００７１】
電子カセッテ３２は、バッテリ３８と、電子カセッテ制御部６４と、コンソール４２から無線通信により前述した環境情報などの各種情報を受信する一方、撮影して得られた放射線画像情報をコンソール４２に無線通信により送信する送受信機６６と、放射線検出器６０と、を備えている。
【００７２】
バッテリ３８は、電子カセッテ制御部６４、送受信機６６、放射線検出器６０、及び電子カセッテ制御部６４からの指示に従ってアクチュエータ１０６の作動を制御するドライバ１２０に電気的に接続されており、各部に電力を供給する。
【００７３】
電子カセッテ制御部６４は、ＣＰＵ６４Ａ、ＲＯＭ（Read Only Memory）６４Ｂ、ＲＡＭ（Random Access Memory）６４Ｃ、ＮＶＭ（Non Volatile Memory)６４Ｄ、及び画像メモリ６４Ｅを含んで構成されている。
【００７４】
ＣＰＵ６４Ａは、電子カセッテ３２全体の動作を司るものである。ＲＯＭ６４Ｂは、電子カセッテ３２の作動を制御する制御プログラム、後述する開閉制御処理プログラムや各種パラメータ等を予め記憶する記憶手段として機能するものである。ＲＡＭ６４Ｃは、各種プログラムの実行時のワークエリア等として用いられるものである。ＮＶＭ６４Ｄは、装置の電源スイッチが切られても保持しなければならない各種情報を記憶するものである。画像メモリ６４Ｅは、放射線検出器６０によって検出された放射線画像情報を記憶するものである。
【００７５】
なお、本第１の実施形態に係るＮＶＭ６４Ｄには、前述した環境情報と通気口９６を開放するか閉塞するかを示す開閉情報とが関連付けられて予め記憶されており、更に、当該環境情報と当該環境情報により示される環境での放射線画像の撮影可能枚数を示す撮影可能枚数情報とが関連付けられて予め記憶されている。
【００７６】
ＣＰＵ６４Ａには、放射線検出器６０、ＲＯＭ６４Ｂ、ＲＡＭ６４Ｃ、ＮＶＭ６４Ｄ、画像メモリ６４Ｅ及び送受信機６６が接続されている。また、ＣＰＵ６４Ａには、ドライバ１２０を介してアクチュエータ１０６が接続されている。従って、ＣＰＵ６４Ａは、放射線検出器６０を構成するライン走査駆動部８０（図４を参照。）のアドレスデコーダ８４及びマルチプレクサ８２のアドレスデコーダ９０に対してのアドレス信号の供給と、ＲＯＭ６４Ｂ、ＲＡＭ６４Ｃ、ＮＶＭ６４Ｄ及び画像メモリ６４Ｅへのアクセスと、コンソール４２との送受信機６６を介した各種情報の送受信と、ドライバ１２０を介したアクチュエータ１０６の作動の制御と、を各々行うことができる。
【００７７】
クレードル４０は、クレードル４０全体の動作を制御するクレードル制御部４０Ａと、コンソール４２との間で無線通信により各種情報の送受信を行う送受信機４０Ｂと、電子カセッテ３２のバッテリ３８に電力を供給する電力供給部４０Ｃと、を備えている。
【００７８】
なお、本第１の実施形態に係るクレードル４０では、電子カセッテ３２が装填されることにより、電力供給部４０Ｃがバッテリ３８に電力を供給すると共に、画像メモリ６４Ｅに放射線画像情報が記憶されている場合にはクレードル制御部４０Ａが当該放射線画像情報を取得し、取得した放射線画像情報を送受信機４０Ｂを介してコンソール４２に送信する。
【００７９】
表示装置３６は、コンソール４２から放射線画像情報を受信する受信機３６Ａと、受信した放射線画像情報の表示制御を行う表示制御部３６Ｂと、表示制御部３６Ｂによって処理された放射線画像情報を表示する表示部３６Ｃと、を備えている。
【００８０】
コンソール４２は、ＣＰＵ４２Ａ、ＲＯＭ４２Ｂ、ＲＡＭ４２Ｃ、ＮＶＭ４２Ｄ、受付部４２Ｅ，表示制御部４２Ｆ、表示部４２Ｇ及び送受信機４２Ｈを備えている。
【００８１】
ＣＰＵ４２Ａは、コンソール４２全体の動作を司るものである。ＲＯＭ４２Ｂは、コンソール４２の作動を制御する制御プログラムや各種パラメータ等を予め記憶する記憶手段として機能するものである。ＲＡＭ４２Ｃは、各種プログラムの実行時のワークエリア等として用いられるものである。ＮＶＭ４２Ｄは、装置の電源スイッチが切られても保持しなければならない各種情報を記憶するものである。受付部４２Ｅは、複数のキーを含んで構成され、各種情報や指示を受け付けるものである。表示制御部４２Ｆは、受信した各種情報の表示制御を行うものである。表示部４２Ｇは、表示制御部４２Ｆによって処理された各種情報を表示するものである。送受信機４２Ｈは、放射線画像情報、環境情報などの各種情報を無線通信により送受信するものである。
【００８２】
なお、本第１の実施形態では、表示部３６Ｃ，４２ＧとしてＬＣＤ（Liquid Crystal Display）を用いて可視表示を行っているが、これに限らず、表示部３６Ｃ，４２Ｇとして有機ＥＬディスプレイ、ＣＲＴディスプレイ等の他のディスプレイを用いて可視表示を行っても良い。
【００８３】
次に、本第１の実施形態に係るＲＩＳ１０の全体的な動作について簡単に説明する。
【００８４】
入力端末１２は、医師２６又は放射線技師からの、環境情報を含む撮影依頼を受け付ける。当該撮影依頼では、電子カセッテ３２を使用する環境、撮影の日時及び撮影条件｛撮影の部位、角度及び枚数、放射線Ｘを照射するための管電圧、管電流、照射時間並びに電子カセッテ３２のサイズ及び感度等｝が指定される。
【００８５】
入力端末１２は、受け付けた撮影依頼の内容をＲＩＳサーバ１４に通知する。ＲＩＳサーバ１４は、入力端末１２から通知された撮影依頼の内容をデータベース２８に記録する。
【００８６】
コンソール４２は、ＲＩＳサーバ１４にアクセスすることにより、ＲＩＳサーバ１４から撮影依頼の内容及びこれに関連付けられた環境情報を取得し、撮影依頼の内容を表示部４２Ｇに表示する。
【００８７】
医師２６や放射線技師が表示部４２Ｇに表示された撮影依頼の内容に基づいて放射線画像の撮影を開始すると、撮影装置３４の放射線源３４Ｂから患者３０に放射線Ｘが照射される。当該放射線Ｘは患者３０を透過し、電子カセッテ３２のグリッド５８によって散乱線が除去された後、放射線検出器６０に照射され、放射線検出器６０を構成する各画素７４の光電変換層６８によって電気信号に変換され、蓄積容量７２に電荷として保持される（図４参照。）。次いで、各蓄積容量７２に保持された患者３０の放射線画像情報である電荷情報は、電子カセッテ制御部６４を構成するＣＰＵ６４Ａからライン走査駆動部８０及びマルチプレクサ８２に供給されるアドレス信号に従って読み出される。
【００８８】
すなわち、ライン走査駆動部８０のアドレスデコーダ８４は、ＣＰＵ６４Ａから供給されるアドレス信号に従って選択信号を出力してスイッチＳＷ１の１つを選択し、対応するゲート線７６に接続されたＴＦＴ７０のゲートに制御信号Ｖｏｎを供給する。一方、マルチプレクサ８２のアドレスデコーダ９０は、ＣＰＵ６４Ａから供給されるアドレス信号に従って選択信号を出力してスイッチＳＷ２を順次切り替え、ライン走査駆動部８０によって選択されたゲート線７６に接続された各画素７４の蓄積容量７２に保持された電荷情報である放射線画像情報を信号線７８を介して順次読み出す。
【００８９】
選択されたゲート線７６に接続された各画素７４の蓄積容量７２から読み出された放射線画像情報は、各増幅器８６によって増幅された後、各サンプルホールド回路８８によってサンプリングされ、マルチプレクサ８２を介してＡ／Ｄ変換器９２に供給され、デジタル信号に変換される。デジタル信号に変換された放射線画像情報は、電子カセッテ制御部６４の画像メモリ６４Ｅに一旦記憶された後、送受信機６６を介して、無線通信によりコンソール４２に送信される。
【００９０】
同様にして、ライン走査駆動部８０のアドレスデコーダ８４は、ＣＰＵ６４Ａから供給されるアドレス信号に従ってスイッチＳＷ１を順次切り替え、各ゲート線７６に接続されている各画素７４の蓄積容量７２に保持された電荷情報である放射線画像情報を信号線７８を介して読み出し、マルチプレクサ８２及びＡ／Ｄ変換器９２を介して電子カセッテ制御部６４の画像メモリ６４Ｅに記憶させる。
【００９１】
コンソール４２に送信された放射線画像情報は、送受信機４２Ｈによって受信され、ＣＰＵ４２Ａにおいて所定の画像処理が施された後、患者３０の患者情報と関連付けられた状態でＮＶＭ４２Ｄに記憶される。
【００９２】
また、画像処理の施された放射線画像情報は、送受信機４２Ｈから表示装置３６に送信される。受信機３６Ａによって放射線画像情報を受信した表示装置３６は、表示制御部３６Ｂによって表示部３６Ｃを制御し、放射線画像を表示する。医師２６は、表示部３６Ｃに表示された放射線画像を確認しながら手術を遂行する。
【００９３】
ところで、コンソール４２は、ＲＩＳサーバ１４から撮影依頼に含まれる環境情報を取得すると、当該環境情報を送受信機４２Ｈを介して所定の電波強度（例えば、手術室４４の何れの位置においても通信を確立できる電波強度）で送信し続ける。電子カセッテ３２は、環境情報を受信すると、電子カセッテ３２の通気口９６を開放または閉塞するための制御を行う処理（開閉制御処理）を実行する。また、電子カセッテ３２は、環境情報を受信すると、受信が完了したことを示す受信完了情報をコンソール４２に送信する。コンソール４２は、当該受信完了情報を受信すると、環境情報の送信を停止する。
【００９４】
なお、本第１の実施形態に係るコンソール４２では、ＲＩＳサーバ１４から環境情報を取得しているが、これに限らず、受付部４２Ｅを介して環境情報を取得しても良い。
【００９５】
次に、図１２を参照して、上記開閉制御処理を実行する際の電子カセッテ３２の処理ルーチンを説明する。なお、図１２は、この際に電子カセッテ３２のＣＰＵ６４Ａによって実行される開閉制御処理プログラムの処理の流れを示すフローチャートであり、当該プログラムはＲＯＭ６４Ｂの所定領域に予め記憶されている。
【００９６】
同図のステップ２００では、受信した環境情報がＮＶＭ６４Ｄに記憶されているか否かを判定し、否定判定となった場合には本開閉制御処理プログラムを終了する一方、肯定判定となった場合にはステップ２０２へ移行し、ＮＶＭ６４Ｄから当該環境情報に関連付けられている撮影可能枚数情報を読み出す。
【００９７】
次のステップ２０４では、上記ステップ２０２で読み出した撮影可能枚数情報により示される撮影可能枚数が予め定められた枚数未満であるか否かを判定し、否定判定となった場合にはステップ２０６の処理を実行せずにステップ２０８へ移行する一方、肯定判定となった場合にはステップ２０６へ移行し、撮影可能枚数が予め定められた枚数未満であることを示す情報をコンソール４２に送信する。コンソール４２のＣＰＵ４２Ａは、送受信機４２Ｈを介して当該情報を受信し、表示部４２Ｇに対して、撮影可能枚数が予め定められた枚数未満であることを示す情報を表示させると共に、表示装置３６の表示部３６Ｃに対して撮影可能枚数が予め定められた枚数未満であることを示す情報を表示させるための表示情報を送受信機４２Ｈを介して表示装置３６に送信する。表示装置３６の表示制御部３６Ｂは、受信機３６Ａを介して当該表示情報を受信し、表示部３６Ｃに対して撮影可能枚数が予め定められた枚数未満であることを示す情報を表示させる。
【００９８】
なお、本第１の実施形態に係る撮影システム１８では、撮影可能枚数が予め定められた枚数未満であることを示す情報を表示する形態例として、表示部３６Ｃ，４２Ｇを用いて可視表示を行う形態例を適用しているが、これに限らず、表示部３６Ｃ，４２Ｇによる可視表示に代えてスピーカ等の音声再生装置を用いて可聴表示を行ったり、印字することによる永久可視表示を行っても良い。また、上記可視表示、可聴表示及び永久可視表示の複数を組み合わせても良い。
【００９９】
また、上記予め定められた枚数としては、筐体５４内部の温度が上昇して放射線画像の画質が低下するものとして予め定められた撮影枚数が例示できる。
【０１００】
ステップ２０８では、ＮＶＭ６４Ｄから、受信した環境情報に関連付けられている開閉情報を読み出し、次のステップ２１０では、上記ステップ２０８で読み出した開閉情報が通気口９６を開放することを示しているか否かを判定し、否定判定となった場合にはステップ２１２へ移行する。
【０１０１】
ステップ２１２では、通気口９６が開放されているか否かを判定し、否定判定となった場合にはステップ２１４の処理を実行せずに本開閉制御処理プログラムを終了する一方、肯定判定となった場合にはステップ２１４へ移行し、通気口９６を閉塞するようにアクチュエータ１０６の作動を制御した後、本開閉制御処理プログラムを終了する。
【０１０２】
一方、ステップ２１０において肯定判定となった場合にはステップ２１６へ移行し、通気口９６が閉塞されているか否かを判定し、否定判定となった場合にはステップ２１８の処理を実行せずに本開閉制御処理プログラムを終了する一方、肯定判定となった場合にはステップ２１８へ移行し、通気口９６を開放するようにアクチュエータ１０６の作動を制御した後、本開閉制御プログラムを終了する。
【０１０３】
次に、図１３を参照して、本第１の実施形態に係る電子カセッテ３２において、環境情報及び当該環境情報に対応する開閉情報、並びに環境情報及び当該環境情報に対応する撮影可能枚数情報をＮＶＭ６４Ｄに記憶することにより登録する際の処理ルーチンを説明する。なお、図１３は、コンソール４２から環境情報及び当該環境情報に対応する開閉情報、または環境情報及び当該環境情報に対応する撮影可能枚数情報が送信され、送信された情報を送受信機６６が受信した際に電子カセッテ３２のＣＰＵ６４Ａによって実行される登録処理プログラムの処理の流れを示すフローチャートであり、当該プログラムはＲＯＭ６４Ｂの所定領域に予め記憶されている。
【０１０４】
同図のステップ３００では、送受信機６６が環境情報及び当該環境情報に対応する開閉情報を受信したか否かを判定し、肯定判定となった場合にはステップ３０２へ移行する。  ステップ３０２では、ＮＶＭ６４Ｄに送受信機６６により受信した環境情報及び開閉情報がＮＶＭ６４Ｄに記憶されているか否かを判定し、肯定判定となった場合にはステップ３０４の処理を実行せずに本登録処理プログラムを終了する一方、否定判定となった場合にはステップ３０４へ移行し、送受信機６６により受信した環境情報及び開閉情報をＮＶＭ６４Ｄに記憶することにより登録した後、本登録処理プログラムを終了する。
【０１０５】
一方、ステップ３００において否定判定となった場合には、ステップ３０６へ移行し、送受信機６６により受信した環境情報及び撮影可能枚数情報がＮＶＭ６４Ｄに記憶されているか否かを判定し、肯定判定となった場合にはステップ３０８の処理を実行せずに本登録処理プログラムを終了する一方、否定判定となった場合にはステップ３０８へ移行し、送受信機６６により受信した環境情報及び撮影可能枚数情報をＮＶＭ６４Ｄに記憶することにより登録した後、本登録処理プログラムを終了する。
【０１０６】
次に、図１４を参照して、電子カセッテ３２が予め定められた場所に設置された際（ここでは、電子カセッテ３２のバッテリ３８を充電するために電子カセッテ３２がクレードル４０に装填された際、より詳しくは、ＣＰＵ６４Ａがバッテリ３８の充電が開始されたことを検知した際）の処理ルーチンについて説明する。なお、図１４は、この際に電子カセッテ３２のＣＰＵ６４Ａによって実行される開放処理プログラムの処理の流れを示すフローチャートであり、当該プログラムはＲＯＭ６４Ｂの所定領域に予め記憶されている。
【０１０７】
同図のステップ４００では、通気口９６が閉塞しているか否かを判定し、否定判定となった場合にはステップ４０２の処理を実行せずに本開放処理プログラムを終了する。
【０１０８】
一方、ステップ４００において肯定判定となった場合にはステップ４０２へ移行し、通気口９６を開放するようにアクチュエータ１０６の作動を制御した後、本開放処理プログラムを終了する。
【０１０９】
以上詳細に説明したように、本第１の実施形態に係る撮影システム１８では、外部から照射された放射線量に応じた放射線画像を示す画像情報を生成する放射線検出器６０及び電子カセッテ制御部６４が収納されると共に、通気口９６が形成された筐体５４、当該筐体５４に設けられ、通気口９６を開放及び閉塞する蓋部材９８、通気口９６を開放及び閉塞するように蓋部材９８を移動させるアクチュエータ１０６、放射線画像を撮影する環境を示し、かつ入力された環境情報に基づいて、通気口９６が開放または閉塞されるようにアクチュエータ１０６を制御するＣＰＵ６４Ａを有する電子カセッテ３２と、環境情報を電子カセッテ３２に入力する送受信機４２Ｈを有するコンソール４２と、を備えることにより、放射線画像を撮影する環境に応じて筐体５４に形成された通気口９６が開放または閉塞されるので、通気を行うことができ、かつ異物の侵入を抑制することができる。
【０１１０】
また、本第１の実施形態に係る撮影システム１８では、電子カセッテ３２が、環境情報と通気口９６を開放するか閉塞するかを示す開閉情報とが関連付けられて記憶されたＮＶＭ６４Ｄと、環境情報を受け付ける送受信機６６と、を更に有し、ＣＰＵ６４Ａ、送受信機６６により受信されて入力された環境情報がＮＶＭ６４Ｄに記憶されている場合に、当該環境情報に関連付けられている開閉情報をＮＶＭ６４Ｄから読み出し、当該開閉情報に応じて通気口９６が開閉されるようにアクチュエータ１０６を制御しており、送受信機６６が環境情報を受信することにより通気口９６を開放または閉塞するための制御が行われるので、ユーザが意図しないタイミングで通気口９６が開放または閉塞することを防止することができる。
【０１１１】
また、本第１の実施形態に係る撮影システム１８では、ＣＰＵ６４Ａが、送受信機６６がＮＶＭ６４Ｄに記憶されている環境情報以外の他の環境情報及び当該他の環境情報に対応する開閉情報を受信した場合には当該他の環境情報及び当該開閉情報を関連付けてＮＶＭ６４Ｄに記憶する制御を行うことにより、ＮＶＭ６４Ｄにおける環境情報及び当該環境情報に関連付けられた開閉情報を増やすことができるので、ユーザにとっての利便性を向上させることができる。
【０１１２】
また、本第１の実施形態に係る撮影システム１８では、ＮＶＭ６４Ｄに、環境情報に対応させて当該環境情報により示される環境での放射線画像の撮影可能枚数を示す撮影可能枚数情報を関連付けて記憶し、ＣＰＵ６４Ａが、送受信機６６により受信されて入力された環境情報がＮＶＭ６４Ｄに記憶されている場合に、当該環境情報に関連付けられた撮影可能枚数情報をＮＶＭ６４Ｄから読み出し、当該撮影可能枚数情報により示される撮影可能枚数が予め定められた枚数未満である場合に撮影可能枚数が予め定められた枚数未満であることを表示するように制御を行うことにより、撮影者は撮影可能枚数が予め定められた枚数未満であることを意識しながら撮影を行うことができるので、重要度の異なる複数枚の放射線画像を得るにあたり、重要度の高い放射線画像を得る前に撮影ができなくなるという事態の発生を回避することができる。
【０１１３】
また、本第１の実施形態に係る撮影システム１８では、ＣＰＵ６４Ａが、送受信機６６がＮＶＭ６４Ｄに記憶されている環境情報以外の他の環境情報及び当該他の環境情報に対応する撮影可能枚数情報を受信した場合には当該他の環境情報及び当該撮影可能枚数情報を関連付けてＮＶＭ６４Ｄに記憶する制御を行うことにより、ＮＶＭ６４Ｄにおける環境情報及び当該環境情報に関連付けられた撮影可能枚数情報を増やすことができるので、ユーザにとっての利便性を向上させることができる。
【０１１４】
また、本第１の実施形態に係る撮影システム１８では、ＣＰＵ６４Ａが、筐体５４がクレードル４０に装填されたことを検知した場合に、通気口９６を開放するようにアクチュエータ１０６を制御することにより、電子カセッテ３２をクレードル４０に装填することにより通気口９６を開放することができるので、ユーザにとっての利便性を向上させることができる。
【０１１５】
〔第２の実施形態〕
【０１１６】
次に本発明の第２の実施形態を説明する。
【０１１７】
先ず、図１５を参照して、本第２の実施形態に係る電子カセッテ３２Ｂの構成を説明する。なお、本第２の実施形態に係る電子カセッテ３２Ｂにおいて、図１〜図１１と同一の構成要素には図１〜図１１と同一の符号を付して、その説明を省略する。
【０１１８】
図１５は、本第２の実施形態に係る電子カセッテ３２Ｂの外観を示す斜視図である。
【０１１９】
同図に示されるように、本第２の実施形態に係る電子カセッテ３２Ｂは、上記第１の実施形態で説明した電子カセッテ３２と比較して、ＵＩ（ユーザ・インタフェース）パネル４５０が設けられている点のみが異なっている。
【０１２０】
図１６は、本第２の実施形態に係る電子カセッテ３２Ｂの電気系の構成を示すブロック図である。
【０１２１】
ＵＩパネル４５０は、ディスプレイ上に透過型のタッチパネルが重ねられたタッチパネルディスプレイ等から構成され、各種情報がディスプレイの表示面に表示されると共に、ユーザがタッチパネルに触れることにより所望の情報や指示が入力される。
【０１２２】
ＣＰＵ６４Ａは、ＵＩパネル４５０に接続されており、ＵＩパネル４５０への各種情報の表示と、ＵＩパネル４５０に対するユーザの操作指示内容の把握と、を各々行うことができる。
【０１２３】
なお、本第２の実施形態に係る電子カセッテ３２Ｂでは、電子カセッテ３２の一側面に設けられたスイッチ（図示省略）をオン状態にすることによりＵＩパネル４５０は各種情報の受け付けが可能な状態となり、当該スイッチをオフ状態にすることによりＵＩパネル４５０は各種情報の受け付けが不可能な状態となるように構成されている。
【０１２４】
次に、図１７を参照して、本第２の実施形態に係る電子カセッテ３２ＢにおいてＵＩパネル４５０により環境情報が受け付けられた際の処理ルーチンの説明をする。なお、図１７は、この際に電子カセッテ３２ＢのＣＰＵ６４Ａによって実行される開閉制御処理プログラムの処理の流れを示すフローチャートであり、当該プログラムはＲＯＭ６４Ｂの所定領域に予め記憶されている。また、図１７に示されるプログラムは、図１２に示されるプログラムと比較して、ステップ２０６に代えてステップ２０６Ｂを適用している点のみが異なっているため、図１７における図１２に示されるプログラムと同一の処理を行うステップについては図１２と同一のステップ番号を付して、その説明を省略する。
【０１２５】
同図のステップ２０６Ｂでは、ＵＩパネル４５０に対して撮影可能枚数が予め定められた枚数未満であることを示す情報を表示させるように制御を行う。なお、本第２の実施形態では、ＵＩパネル４５０を用いて可視表示を行っているが、これに限らず、ＵＩパネル４５０による可視表示に代えてスピーカ等の音声再生装置を用いて可聴表示を行ったり、印字することによる永久可視表示を行っても良い。また、上記可視表示、可聴表示及び永久可視表示の複数を組み合わせても良い。
【０１２６】
次に、図１８を参照して、本第２の実施形態に係る電子カセッテ３２Ｂにおいて環境情報及び当該環境情報に対応する開閉情報、並びに環境情報及び当該環境情報に対応する撮影可能枚数情報をＮＶＭ６４Ｄに記憶することにより登録する際の処理ルーチンを説明する。なお、図１８は、環境情報及び当該環境情報に対応する開閉情報、並びに環境情報及び当該環境情報に対応する撮影可能枚数情報をＵＩパネル４５０が受け付けた際に電子カセッテ３２ＢのＣＰＵ６４Ａによって実行される登録処理プログラムの処理の流れを示すフローチャートであり、当該プログラムはＲＯＭ６４Ｂの所定領域に予め記憶されている。また、図１８に示されるプログラムは、図１３に示されるプログラムと比較して、ステップ３００に代えてステップ３００Ｂを適用している点のみが異なっているため、図１８における図１３に示されるプログラムと同一の処理を行うステップについては図１３と同一のステップ番号を付して、その説明を省略する。
【０１２７】
同図のステップ３００Ｂでは、ＵＩパネル４５０により環境情報及び当該環境情報に対応する開閉情報が受け付けられたか否かを判定する。
【０１２８】
以上詳細に説明したように、本第２の実施形態に係る電子カセッテ３２Ｂでは、外部から照射された放射線量に応じた放射線画像を示す画像情報を生成する放射線検出器６０及び電子カセッテ制御部６４が収納されると共に、通気口９６が形成された筐体５４と、筐体５４に設けられ、通気口５４を開放及び閉塞する蓋部材９８と、通気口９６を開放及び閉塞するように蓋部材を移動させるアクチュエータ１０６と、放射線画像を撮影する環境を示し、かつ入力された環境情報に基づいて、通気口９６が開放または閉塞されるようにアクチュエータ１０６を制御するＣＰＵ６４Ａと、を備えることにより、放射線画像を撮影する環境に応じて筐体５４に形成された通気口９６が開放または閉塞されるので、通気を行うことができ、かつ異物の侵入を抑制することができる。
【０１２９】
また、本第２の実施形態に係る電子カセッテ３２Ｂでは、環境情報と通気口９６を開放するか閉塞するかを示す開閉情報とが関連付けられて記憶されたＮＶＭ６４Ｄと、環境情報を受け付けるＵＩパネル４５０と、を更に備え、ＣＰＵ６４Ａが、ＵＩパネル４５０により受け付けられて入力された環境情報がＮＶＭ６４Ｄに記憶されている場合に、当該環境情報に関連付けられている開閉情報をＮＶＭ６４Ｄから読み出し、当該開閉情報に応じて通気口９６が開閉されるようにアクチュエータ１０６を制御しており、ＵＩパネル４５０が環境情報を受け付けることにより通気口９６を開放または閉塞するための制御が行われるので、ユーザが意図しないタイミングで通気口９６が開放または閉塞することを防止することができる。
【０１３０】
また、本第２の実施形態に係る電子カセッテ３２Ｂでは、ＣＰＵ６４Ａが、ＵＩパネル４５０がＮＶＭ６４Ｄに記憶されている環境情報以外の他の環境情報及び当該他の環境情報に対応する開閉情報を受け付けた場合には当該他の環境情報及び当該開閉情報を関連付けてＮＶＭ６４Ｄに記憶する制御を行うことにより、ＮＶＭ６４Ｄにおける環境情報及び当該環境情報に関連付けられた開閉情報を増やすことができるので、ユーザにとっての利便性を向上させることができる。
【０１３１】
また、本第２の実施形態に係る電子カセッテ３２Ｂでは、ＮＶＭ６４Ｄに、環境情報に対応させて当該環境情報により示される環境での放射線画像の撮影可能枚数を示す撮影可能枚数情報を関連付けて記憶し、ＣＰＵ６４Ａが、ＵＩパネル４５０により受け付けられて入力された環境情報がＮＶＭ６４Ｄに記憶されている場合に、当該環境情報に関連付けられた撮影可能枚数情報をＮＶＭ６４Ｄから読み出し、当該撮影可能枚数情報により示される撮影可能枚数が予め定められた枚数未満である場合に撮影可能枚数が予め定められた枚数未満であることを表示するように制御を行うことにより、撮影者は撮影可能枚数が予め定められた枚数未満であることを意識しながら撮影を行うことができるので、重要度の異なる複数枚の放射線画像を得るにあたり、重要度の高い放射線画像を得る前に撮影ができなくなるという事態の発生を回避することができる。
【０１３２】
また、本第２の実施形態に係る電子カセッテ３２Ｂでは、ＣＰＵ６４Ａが、ＵＩパネル４５０がＮＶＭ６４Ｄに記憶されている環境情報以外の他の環境情報及び当該他の環境情報に対応する撮影可能枚数情報を受け付けた場合には当該他の環境情報及び当該撮影可能枚数情報を関連付けてＮＶＭ６４Ｄに記憶する制御を行うことにより、環境情報及び当該環境情報に関連付けられた撮影可能枚数情報を増やすことができるので、ユーザにとっての利便性を向上させることができる。
【０１３３】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【０１３４】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記各実施形態に示される全構成要件から幾つかの構成要件が削除されても、効果が得られる限りにおいて、この幾つかの構成要件が削除された構成が発明として抽出され得る。
【０１３５】
例えば、上記各実施形態では、アクチュエータ１０６の動力をリンク部材１０４を介して蓋部材９８に伝達して通気口９６を開閉する場合の形態例を挙げて説明したが、本発明はこれに限定されるものではなく、図１９及び図２０に示すように、筐体５４の側面９４Ｂに配置された伸縮可能なロッド４６０Ａ，４６０Ｂと、ロッド４６０Ａ，４６０Ｂが収容される収容体４６０Ｃと、を有する開閉機構４６０により通気口９６を開閉しても良い。この場合、ロッド４６０Ａ，４６０Ｂ及び収容体４６０Ｃは、通気口９６を間に挟むように筐体５４の両側にそれぞれ配置されている。
【０１３６】
ロッド４６０Ａの先端部は、蓋部材９８の表面に当接しており、ロッド４６０Ａ，４６０Ｂが伸長してロッド４６０Ａが蓋部材９８を押圧することにより、蓋部材９８が通気口９６を開放する。
【０１３７】
また、ロッド４６０Ａ，４６０Ｂが縮んで収容体４６０Ｃに収容されることにより、蓋部材９８の弾性力によって蓋部材９８は閉塞位置に復帰し、蓋部材９８が通気口９６を閉塞する。
【０１３８】
ロッド４６０Ａを駆動する駆動機構としては、例えば、ソレノイドを用いることができる。また、開閉機構４６０は各側面９４Ａ，９４Ｃ，９４Ｄにも配置されており、通気口９６は、各側面９４Ａ，９４Ｂ，９４Ｃ，９４Ｄにおいて蓋部材９８を独立して開閉する構成となっている。なお、開閉機構４６０は、側面９４Ａ，９４Ｂ，９４Ｃ，９４Ｄの少なくとも何れかに配置されていれば良い。
【０１３９】
また、開閉機構４６０は、筐体５４の側面９４Ａ，９４Ｂ，９４Ｃ，９４Ｄではなく、図２１に示すように、例えば、筐体５４の隅部に配置された構成であってもよい。開閉機構４６０は、筐体５４の４隅にそれぞれ配置されている。
【０１４０】
ロッド４６０Ａ，４６０Ｂが伸長して、ロッド４６０Ａが蓋部材９８の隅部を押圧することにより、蓋部材９８が側面９４Ｂ，９４Ｃに形成された通気口９６を開放する。この構成では、側面９４Ｂ，９４Ｃに形成された通気口９６を一度に開放することができる。また、通気口９６を筐体５４の隅部に配置することにより、筐体５４のデッドスペースが小さくなる。
【０１４１】
また、上記第１の実施形態では、撮影可能枚数が予め定められた枚数未満であることを示す情報をコンソール４２の表示部４２Ｇ及び表示装置３６の表示部３６Ｃにより表示する場合の形態例を挙げて説明したが、本発明はこれに限定されるものではなく、例えば、クレードル４０に表示部を設け、当該表示部に撮影可能枚数が予め定められた枚数未満であることを示す情報を表示するようにしても良い。
【０１４２】
また、上記第１の実施形態では、電子カセッテ３２がコンソール４２から送信された環境情報を受信する場合の形態例を挙げて説明したが、本発明はこれに限定されるものではなく、例えば、手術室４４の出入り口付近に環境情報を送信し続ける送信装置を設置し、電子カセッテ３２が当該出入り口を通るときに当該送信装置から送信される環境情報を受信するようにしても良い。
【０１４３】
また、上記各実施形態では、リンク部材１０４により蓋部材９８を持ち上げることによって通気口９６を開放するようにしているが、本発明はこれに限定されるものではなく、通気口９６を側面９４Ａ，９４Ｂ，９４Ｃ，９４Ｄのそれぞれに独立して形成し、各側面にシャッタをスライド自在に設け、このシャッタをスライドさせることにより各側面の通気口９６を開閉するようにしても良い。なお、通気口は側面９４Ａ，９４Ｂ，９４Ｃ，９４Ｄの少なくとも１つに形成されていれば良く、この場合、通気口が形成される側面にシャッタを設ける。
【０１４４】
その他、上記第１の実施形態で説明した撮影システム１８の構成（図１〜図１１を参照。）及び上記第２の実施形態で説明した電子カセッテ３２Ｂの構成（図１５及び図１６を参照。）は一例であり、本発明の主旨を逸脱しない範囲内において状況に応じて変更可能であることは言うまでもない。
【０１４５】
また、上記各実施形態で説明したプログラムの処理の流れ（図１２〜図１４、図１７及び図１８を参照。）も一例であり、本発明の主旨を逸脱しない範囲内において不要なステップを削除したり、新たなステップを追加したり、処理順序を入れ替えたりすることができることは言うまでもない。
【図面の簡単な説明】
【０１４６】
【図１】実施形態に係る放射線情報システムの構成を示すブロック図である。
【図２】実施形態に係る放射線画像撮影システムが設置された手術室の様子を示す図である。
【図３】実施形態に係る電子カセッテの内部構成を示す斜視図である。
【図４】実施形態に係る放射線検出器の回路構成を示すブロック図である。
【図５】第１の実施形態に係る電子カセッテの外観を示す斜視図である。
【図６】図５のａ−ａ線断面図である。
【図７】第１の実施形態に係る電子カセッテの外観を示す斜視図であり、通気口が開放された状態を示す図である。
【図８】実施形態に係る開閉機構を示す正面図であり、通気口が開放された状態を示す図である。
【図９】実施形態に係る開閉機構を示す部分断面図である。
【図１０】実施形態に係る開閉機構を示す正面図であり、通気口が閉塞された状態を示す図である。
【図１１】第１の実施形態に係る撮影システムの電気系の構成を示すブロック図である。
【図１２】第１の実施形態に係る開閉制御処理プログラムの処理の流れを示すフローチャートである。
【図１３】第１の実施形態に係る登録処理プログラムの処理の流れを示すフローチャートである。
【図１４】第１の実施形態に係る開放処理プログラムの処理の流れを示すフローチャートである。
【図１５】第２の実施形態に係る電子カセッテの外観を示す斜視図である。
【図１６】第２の実施形態に係る電子カセッテの電気系の構成を示すブロック図である。
【図１７】第２の実施形態に係る開閉制御処理プログラムの処理の流れを示すフローチャートである。
【図１８】第２の実施形態に係る登録処理プログラムの処理の流れを示すフローチャートである。
【図１９】実施形態に係る電子カセッテの変形例を示す正面図であり、通気口が開放された状態を示す図である。
【図２０】実施形態に係る電子カセッテの変形例を示す正面図であり、通気口が閉塞された状態を示す図である。
【図２１】実施形態に係る電子カセッテの変形例を示す正面図である。
【符号の説明】
【０１４７】
１８  放射線画像撮影システム
３２  電子カセッテ
４２  コンソール（通信装置）
４２Ｈ  送受信機（入力手段）
６０  放射線検出器（電子回路）
６４  電子カセッテ制御部（電子回路）
６４Ａ  ＣＰＵ（制御手段、検知手段、判断手段）
６４Ｄ  ＮＶＭ（記憶手段）
６６  送受信機（受付手段）
９６  通気口
９８  蓋部材（蓋体）
１０６  アクチュエータ（移動手段）
４５０  ＵＩパネル（受付手段）
【図１】
2010008668.tif 000003
【図２】
2010008668.tif 000004
【図３】
2010008668.tif 000005
【図４】
2010008668.tif 000006
【図５】
2010008668.tif 000007
【図６】
2010008668.tif 000008
【図７】
2010008668.tif 000009
【図８】
2010008668.tif 000010
【図９】
2010008668.tif 000011
【図１０】
2010008668.tif 000012
【図１１】
2010008668.tif 000013
【図１２】
2010008668.tif 000014
【図１３】
2010008668.tif 000015
【図１４】
2010008668.tif 000016
【図１５】
2010008668.tif 000017
【図１６】
2010008668.tif 000018
【図１７】
2010008668.tif 000019
【図１８】
2010008668.tif 000020
【図１９】
2010008668.tif 000021
【図２０】
2010008668.tif 000022
【図２１】
2010008668.tif 000023